(57)【要約】【課題】放送プログラムの予約録画装置において、予約された録画の実行を正確かつ迅速に行えるようにする。【解決手段】録画予約データのうち録画開始時間の早い予約チャンネルについてプログラム識別情報を抽出し（＃２）、識別情報がＶＰＳの場合は、７回同じ信号が連続して検出されたとき、ＰＤＣの場合は、３回同じ信号が連続して検出されたときであって（＃３）、それが録画予約データと一致するときに（＃４）、予約録画を開始し（＃６）、予約録画動作中に抽出されたプログラム識別情報が複数回に亘って一致しないときに（＃９）、録画動作を終了する（＃１０）。これにより、ＶＰＳ又はＰＤＣ信号にノイズがのったような場合においても、誤動作を起こすことが防止される。【選択図】  図２
2004207972.tif 000002
【特許請求の範囲】
【請求項１】
放送プログラムのタイマ予約録画のためのデータを設定する設定手段と、前記設定手段で設定された録画予約データに対応するチャンネルを選局し、選局されたチャンネルの放送プログラムに入っているプログラム識別情報を抽出するデータ抽出手段と、放送プログラムを録画する録画手段と、前記データ抽出手段により抽出されたプログラム識別情報に対応する録画予約データが存するかを判断して、プログラム識別情報に対応する録画予約データが存すれば、その録画予約データに基づいて前記録画手段による放送プログラム録画を制御する制御手段とを備えた放送プログラムの予約録画装置において、
前記プログラム識別情報は、ＶＰＳ（Video Programming System）又はＰＤＣ（Personal Digital Cellular）であり、
前記制御手段は、
録画予約データのうち、録画開始時間の早い予約のチャンネルについて前記データ抽出手段によりプログラム識別情報を抽出し、
該識別情報がＶＰＳの場合は少なくとも７回同じ信号が連続して検出されたとき、ＰＤＣの場合は少なくとも３回同じ信号が連続して検出されたときであって、それが録画予約データと一致するときに、前記録画手段による予約録画を開始し、
予約録画動作中に抽出されたプログラム識別情報が複数回に亘って一致しないときに録画動作を終了することを特徴とする放送プログラムの予約録画装置。
【請求項２】
放送プログラムのタイマ予約録画のためのデータを設定する設定手段と、前記設定手段で設定された録画予約データに対応するチャンネルを選局し、選局されたチャンネルの放送プログラムに入っているプログラム識別情報を抽出するデータ抽出手段と、放送プログラムを録画する録画手段と、前記データ抽出手段により抽出されたプログラム識別情報に対応する録画予約データが存するかを判断して、プログラム識別情報に対応する録画予約データが存すれば、その録画予約データに基づいて前記録画手段による放送プログラム録画を制御する制御手段とを備えた放送プログラムの予約録画装置において、
前記制御手段は、
録画予約データのうち、録画開始時間の早い予約のチャンネルについて前記データ抽出手段によりプログラム識別情報を抽出し、
所定の複数回同じ信号が連続して検出されたときに前記録画手段による予約録画を開始し、
予約録画動作中に抽出されたプログラム識別情報が所定の複数回に亘って一致しないときに録画動作を終了することを特徴とする放送プログラムの予約録画装置。
【請求項３】
前記プログラム識別情報は、ＶＰＳ（Video Programming System）又はＰＤＣ（Personal Digital Cellular）であることを特徴とする請求項２に記載の放送プログラムの予約録画装置。
【発明の詳細な説明】
【０００１】
【発明の属する技術分野】
本発明は、放送局のプログラム識別情報を検出して録画予約された放送プログラムを録画する放送プログラム予約録画装置に関する。
【０００２】
【従来の技術】
一般に、放送局から送り出される放送は、必ずしも定時に始まって定時に終わるとは限られず、定規時間とは異なった時間帯に放送される場合がある。このために、受信側で単にタイマ予約録画を施した場合、予約録画時間にユーザーの望まない放送プログラムが録画されることが発生する。そこで、各放送局は予め規定したデータフォーマットに基づき放送プログラムに対する正規放送日時を示すプログラム識別情報（番組ラベルに相当）を実際の放送時間に放送信号と共に伝送することを試みている。ユーザー側では、このプログラム識別情報を受信して、録画予約された放送プログラムに対する録画の実行可否を持続的にチェックして、実際に放送される時間に合わせて予約録画を実行することができる。
【０００３】
かかる放送プログラムに関する情報を用いてビデオ録画制御を行う機能に関して、ヨーロッパ放送方式の場合、主にドイツ国で採用されているＶＰＳ（Video Programming System）や、イギリス国で採用されているＰＤＣ（Personal Digital Cellular）がある。ＶＰＳは、放送信号の垂直ブランキング区間に放送プログラムに関する情報を重ねて放送するものである。ＶＰＳの場合は、１つの識別信号のデータ送信に略５０ｍｓｅｃを要する。ＰＤＣの場合は、１組の識別信号のデータ送信に略１ｓｅｃ（＝２００ｍｓｅｃ×５個）を要する。受信側ではこの情報に基づいて所望の放送プログラムを録画できる。
【０００４】
従来のプログラム識別信号を用いたビデオの予約録画動作について、図４を参照して説明する。タイマ予約動作がセットされた状態において、録画開始時間の最も早い予約チャンネル（ＣＨ）についてプログラム識別情報（ＶＰＳ又はＰＤＣ）を受信し（＃１１，＃１２）、予約内容と一致する識別情報が検出されたとき（＃１４でＹＥＳ）、予約録画を開始する（＃１６）。予約内容と一致する識別情報が検出されないときは（＃１４でＮＯ）、録画開始時間の次に早い予約チャンネルについてプログラム識別情報を受信し（＃１５，＃１２）、以下、同様の動作を行う。
【０００５】
また、上記のＶＰＳを用いたビデオの予約録画動作において、ＶＰＳデータにノイズがのる場合に備えて、設定回数（例えば３回）以上同じＶＰＳデータが入力されるのを確認してから録画動作を開始し、録画中、ＶＰＳデータが録画予約データと異なれば録画を終了するようにしたものがある（例えば、特許文献１参照）。
【０００６】
【特許文献１】
特開平１０−１７４０３８号公報
【０００７】
【発明が解決しようとする課題】
ところが、上述した従来技術や特許文献１に示される方法では、録画中の電波状態が良くない等の理由により、ＶＰＳデータに僅かでもノイズがのると、録画動作を停止してしまい、予約録画が正確に行えないという問題があった。
【０００８】
本発明は前述した問題点を解決するために案出されたもので、予約された録画の実行を正確かつ迅速に行えるようにした放送プログラムの予約録画装置を提供することを目的とする。
【０００９】
【課題を解決するための手段】
上記目的を達成するために請求項１の本発明は、放送プログラムのタイマ予約録画のためのデータを設定する設定手段と、前記設定手段で設定された録画予約データに対応するチャンネルを選局し、選局されたチャンネルの放送プログラムに入っているプログラム識別情報を抽出するデータ抽出手段と、放送プログラムを録画する録画手段と、前記データ抽出手段により抽出されたプログラム識別情報に対応する録画予約データが存するかを判断して、プログラム識別情報に対応する録画予約データが存すれば、その録画予約データに基づいて前記録画手段による放送プログラム録画を制御する制御手段とを備えた放送プログラムの予約録画装置において、前記プログラム識別情報は、ＶＰＳ（Video Programming System）又はＰＤＣ（Personal Digital Cellular）であり、前記制御手段は、録画予約データのうち、録画開始時間の早い予約のチャンネルについて前記データ抽出手段によりプログラム識別情報を抽出し、該識別情報がＶＰＳの場合は少なくとも７回同じ信号が連続して検出されたとき、ＰＤＣの場合は少なくとも３回同じ信号が連続して検出されたときであって、それが録画予約データと一致するときに、前記録画手段による予約録画を開始し、予約録画動作中に抽出されたプログラム識別情報が複数回に亘って一致しないときに録画動作を終了するものである。
【００１０】
本発明の構成においては、録画予約データのうち録画開始時間の早い予約チャンネルについてプログラム識別情報を抽出し、識別情報がＶＰＳの場合は、７回同じ信号が連続して検出されたとき、ＰＤＣの場合は、３回同じ信号が連続して検出されたときであって、それが録画予約データと一致するときに、予約録画を開始し、予約録画動作中に抽出されたプログラム識別情報が複数回に亘って一致しないときに録画動作を終了する。これにより、ＶＰＳ又はＰＤＣ信号にノイズがのったような場合においても、誤動作を起こすことが防止される。ここに、ＶＰＳ信号の場合は、７回同じ信号が連続して検出されることを判断するために、３５０ｍｓｅｃ（＝５０ｍｓｅｃ×７）を要し、ＰＤＣ信号の場合は、３回同じ信号が連続して検出されることを判断するために、３ｓｅｃ（＝１ｓｅｃ×３）を要するが、判断にこの程度の時間がかかっても実質支障はない。
【００１１】
請求項２の発明は、放送プログラムのタイマ予約録画のためのデータを設定する設定手段と、前記設定手段で設定された録画予約データに対応するチャンネルを選局し、選局されたチャンネルの放送プログラムに入っているプログラム識別情報を抽出するデータ抽出手段と、放送プログラムを録画する録画手段と、前記データ抽出手段により抽出されたプログラム識別情報に対応する録画予約データが存するかを判断して、プログラム識別情報に対応する録画予約データが存すれば、その録画予約データに基づいて前記録画手段による放送プログラム録画を制御する制御手段とを備えた放送プログラムの予約録画装置において、前記制御手段は、録画予約データのうち、録画開始時間の早い予約のチャンネルについて前記データ抽出手段によりプログラム識別情報を抽出し、所定の複数回同じ信号が連続して検出されたときに、前記録画手段による予約録画を開始し、予約録画動作中に抽出されたプログラム識別情報が所定の複数回に亘って一致しないときに録画動作を終了するものである。
【００１２】
本発明の構成においては、録画開始時間の早い予約チャンネルについてプログラム識別情報を抽出し、所定の複数回同じ信号が連続して検出されたとき、予約録画を開始し、予約録画動作中に抽出されたプログラム識別情報が所定の複数回に亘って一致しないときに録画動作を終了する。これにより、ＶＰＳ又はＰＤＣ信号にノイズがのったような場合においても、誤動作を起こすことが防止される。
【００１３】
請求項３の発明は、請求項２に記載の放送プログラムの予約録画装置において、プログラム識別情報は、ＶＰＳ（Video Programming System）又はＰＤＣ（Personal Digital Cellular）である。これにより、ＶＰＳ方式にもＰＤＣ方式にも対応可能となる。
【００１４】
【発明の実施の形態】
以下、本発明を具体化した実施形態について図面を参照して説明する。図１はプログラム識別情報としてのＶＰＳ（Video Programming System）を受信して動作する放送プログラムの予約録画装置の構成を示す。予約録画装置は、放送プログラムのタイマ予約録画のためのデータを設定するキー入力部１１（設定手段）と、キー入力部１１からのキー入力信号に応じて放送プログラムを録画予約し、録画予約された放送プログラムの録画を実行制御する制御部１２（制御手段）と、制御部１２の制御に応じてビデオ表示のための信号を出力するビデオ信号出力部１３と、録画予約データに対応するチャンネルを選局するチューナ１４と、選局されたチャンネルの放送信号を抽出するデータ抽出部１５（データ抽出手段）と、設定された録画予約データを記憶するメモリ１６と、チューナ１４を通して選局された放送プログラムに対する録画を実行するビデオ録画部１７（録画手段）と、内部時計としてのタイマ１８とを備える。
【００１５】
ビデオ信号出力部１３には、ディスプレイ等が接続される。データ抽出部１５は、チューナ１４から供給される放送信号からＶＰＳデータを抽出する。メモリ１６に貯蔵された録画予約データが、データ抽出部１５で抽出されたＶＰＳデータに対応するとき、ビデオ録画部１７は、ハードディスクレコーダ等でなり、チューナ１４を通して選局された放送プログラムについて録画を実行する。制御部１２は、データ抽出部１５により抽出されたプログラム識別情報に対応する録画予約データが存するかを判断して、プログラム識別情報に対応する録画予約データが存すれば、その録画予約データに基づいて放送プログラム録画を制御する。
【００１６】
次に、上記のように構成された予約録画装置の動作について図２のフローチャートを加えて説明する。ユーザーはキー入力部１１を通して放送プログラムの録画予約のためのキー入力を行う。キー入力により設定される情報としては、所望の放送プログラムのチャンネル番号、録画の日時、放送プログラムのＶＰＳ機能設定等がある。ユーザーは、図３に示したように、複数の放送プログラムを録画予約できる。ＶＰＳ機能の設定がなされない場合は、設定されたチャンネルについて設定日付及び時間になると、（実際に放送局から放送される日時とは関係なく、）そのまま予約録画が行われる。一方、ＶＰＳ機能が設定された場合は、放送局で実際に放送される時間に伝送されるＶＰＳデータが、放送プログラムの予約録画に使われる。制御部１２は、設定された予約録画する放送プログラムのチャンネル番号、日時などの録画予約データをメモリ１６に記憶させる。
【００１７】
図２（ａ）において、制御部１２は、メモリ１６に記憶された録画予約データの中から、録画開始時間の最も早い予約チャンネルにチューナ１４を設定（チャンネル選局）する（＃１）。図３の例では、最も早い予約チャンネルは「０６」（予約Ｎｏ．１）である。受信したチャンネルの放送信号はデータ抽出部１５に入力され、データ抽出部１５は、録画の実行可否を調べるため、チューナ１４から供給される放送信号に含まれるプログラム識別情報つまりＶＰＳ又はＰＤＣデータを抽出する（＃２）。
【００１８】
制御部１２は、データ抽出部１５により抽出されたプログラム識別情報がＶＰＳの場合は７回同じ信号が連続して検出され、又は、ＰＤＣの場合は３回同じ信号が連続して検出されたとき（＃３でＹＥＳ）、そのＶＰＳ又はＰＤＣデータがメモリ１６に記憶されたチャンネル選局に使われた録画予約データと一致するかを確認する（＃４）。ここでは、ＶＰＳ又はＰＤＣデータに定義されている放送日時とチャンネル選局に使われた録画予約データの録画日時とが比較される。これらの一致が確認されたなら、ビデオ録画部１７による予約録画を開始させる（＃６）。
【００１９】
ここに、ＶＰＳ信号の場合は、７回同じ信号が連続して検出されることを判断するために、３５０ｍｓｅｃ（＝５０ｍｓｅｃ×７）を要し、ＰＤＣ信号の場合は、３回同じ信号が連続して検出されることを判断するために、３ｓｅｃ（＝１ｓｅｃ×３）を要するが、検出判断に３秒程度の時間がかかっても実質支障はないし、また、ＶＰＳとＰＤＣを用いたビデオ録画制御において、各信号の時間長に合わせて、無駄の無い、効率的かつ迅速な判断が可能となる。
【００２０】
上記＃３において、各所定回数のＶＰＳ又はＰＤＣデータの一致が検出されないとき（＃３でＮＯ）、及び、上記＃３において各所定回数のＶＰＳ又はＰＤＣデータの一致が検出されても、それがチャンネル選局に使われた録画予約データと一致しないときは（＃４でＮＯ）、録画開始時間の次に早い予約チャンネルにチューナ１４を設定（チャンネル選局）し（＃５）、上記＃２に戻り、以下、同様の処理を繰り返す。図３の例では、次に早い予約チャンネルは「０４」（予約Ｎｏ．６）であり、さらに次に早い予約チャンネルは「０６」（予約Ｎｏ．２）である。
【００２１】
こうして、録画動作に入る前の待機中において、録画開始時間の早い予約チャンネルから順次、逐次にＶＰＳ又はＰＤＣデータを受信しているので、録画予約データに該当するプログラムが放送された時点で、直ちに録画動作に入ることができる。
【００２２】
図２（ｂ）において、制御部１２は、予約録画動作（＃７）を開始した後も、プログラム識別情報つまりＶＰＳ又はＰＤＣデータの抽出を続けることで（＃８）、録画実行中に抽出されるＶＰＳ又はＰＤＣデータが録画予約データと複数回（録画開始の時と同じ）に亘って不一致でない場合は（＃９でＮＯ）、録画を実行し続ける。ＶＰＳ又はＰＤＣデータが録画予約データと複数回（録画開始の時と同じ）に亘って不一致となれば（＃９でＹＥＳ）、録画実行を中止又は終了させる（＃１０）。
【００２３】
このように、予約録画動作中に抽出されたプログラム識別情報が複数回に亘って一致しないときに、録画動作を終了するようにしているので、ＶＰＳ又はＰＤＣ信号にノイズがのったような場合においても、誤動作を起こすことが防止される。また、仮にノイズに起因して誤動作を起こし、録画動作終了となった場合であっても、メモリ１６の録画予約データは直ちには消去されないようにしているので、予約録画対象のプログラムの最後まで録画が完結していない場合は、録画動作終了から再び、図２（ａ）のフローの処理に入って、録画動作を再開することができる。これにより、録画ミスを防止することができる。
【００２４】
本実施形態の予約録画装置は、ユーザーが録画予約データをメモリ１６に記憶させた後、予約録画スタンバイ状態に設定すると、メイン電源はオフとなり、タイマ１８を含む制御部１２の回りにのみ電源が供給され、タイマ１８の示す時間が録画予約データに含まれる最も早い予約時間の数時間（例えば４時間）前になったことを検出した時点で、チューナ１４やデータ抽出部１５をオン状態として動作させ、上述した図２のフローを処理させるものとしている。
【００２５】
このような動作とすることで、実際のプログラム放送の時間が当所予定の放送時間と数時間（上記例では４時間）程度ずれていても、正しい録画が得られると共に、チューナ１４やデータ抽出部１５を不必要に動作させることがなくなる。
【００２６】
なお、本発明は、上記実施形態の構成に限られることなく、種々の変形が可能であり、例えば、上記実施形態の装置はデジタルテレビ放送を受信する場合を想定しているが、アナログテレビ放送を受信する装置にも適用可能である。また、プログラム識別情報としてＶＰＳ又はＰＤＣの一方のみの方式に対応可能な装置であっても適用可能である。
【００２７】
【発明の効果】
以上のように本発明の放送プログラムの予約録画装置によれば、録画開始時間の早い予約チャンネルについてプログラム識別情報ＶＰＳ又はＰＤＣを抽出し、ＶＰＳの場合とＰＤＣの場合とで適宜の回数同じ信号が連続して検出されたときに予約録画を開始し、予約録画動作中に抽出されたプログラム識別情報が複数回に亘って一致しないときに録画動作を終了するようにしたので、ノイズの影響を受けて誤動作することが防止されると共に、予約された録画の実行を正確かつ迅速に行うことができる。
【図面の簡単な説明】
【図１】本発明の一実施形態に係る放送プログラムの予約録画装置のブロック構成図。
【図２】（ａ）（ｂ）は本装置の予約録画及び録画のフローチャート。
【図３】複数の放送プログラムの録画予約例を示す図。
【図４】従来のプログラム識別信号を用いたビデオ予約録画動作のフローチャート。
【符号の説明】
１１  キー入力部（設定手段）
１２  制御部（制御手段）
１３  ビデオ信号出力部
１４  チューナ
１５  データ抽出部（データ抽出手段）
１６  メモリ
１７  ビデオ録画部（録画手段）
【図１】
2004207972.tif 000003
【図２】
2004207972.tif 000004
【図３】
2004207972.tif 000005
【図４】
2004207972.tif 000006